(57)【要約】【課題】  視聴予約中に異なる番組を視聴していた場合、視聴者の判断で視聴予約番組への切り換えのみならず、視聴予約した番組か視聴中の番組の何れの番組を録画するか、その録画予約を取り消すかを選択することができるようにする。【解決手段】  視聴予約した視聴予約情報はメインマイコン４の視聴予約データ保持部２１に保持され、視聴者がチューナ１から送られる番組を視聴している状態で、視聴予約している放送開始時間が迫ると、メッセージ表示部２４によりチャンネル変更確認メッセージと録画確認メッセージが表示され、視聴者の判断で視聴中の番組か視聴予約した番組かを選択的に切り換えることができる。これとともに、視聴予約した番組か視聴中の番組の何れの番組を録画するか、その録画予約を取り消すかを選択することができる。【選択図】      図１
2005252764.tif 000002
【特許請求の範囲】
【請求項１】
視聴予約する番組のチャンネルおよびその放送時間帯を視聴予約データとして保持する視聴予約データ保持部と、この視聴予約データ保持部からの視聴予約データに基づいて前記視聴予約された番組が開始する直前に、視聴中の番組から視聴予約した番組へとチャンネルを変更するか否かのチャンネル変更確認メッセージ及び視聴中の番組か視聴予約した番組かの何れかを録画するか否かの録画確認メッセージを表示させるメッセージ表示部と、前記チャンネル変更確認メッセージの指示に従って選局するチャンネル選局部と、視聴予約データ保持部で保持した視聴予約データから時間情報を取得して予約開始時に前記録画確認メッセージの指示に従った番組を録画する録画動作部とを備えたことを特徴とする視聴予約機能を備えた放送受信装置。
【請求項２】
前記チャンネル変更確認メッセージ又は／及び録画確認メッセージ表示を表示させるか否かを選択する選択手段を有することを特徴とする請求項１記載の視聴予約機能を備えた放送受信装置。
【請求項３】
前記視聴予約時間前に表示させるチャンネル変更確認メッセージ又は／及び録画確認メッセージの表示タイミングの時間設定を選択する選択手段を有することを特徴とする請求項１又は２記載の視聴予約機能を備えた放送受信装置。
【発明の詳細な説明】
【技術分野】
【０００１】
本発明は、視聴予約機能を備えた放送受信装置、特に、視聴予約中に異なる番組を視聴していた場合、視聴者の判断で視聴予約番組への切り換え選択が可能であるとともに、視聴予約番組か視聴中の番組かの何れか一方の番組を録画するか、あるいは録画予約を取り消すかを選択可能とした視聴予約機能を備えた放送受信装置に関する。
【背景技術】
【０００２】
従来から、テレビジョン受像機などの放送受信機では、視聴予約を行う場合、視聴者がリモコンなどを操作し、録画したい放送局のチャンネル、番組開始時刻、番組終了時刻を入力していた。また、視聴予約の補助手段として、電子番組ガイド（Ｅｌｅｃｔｒｏｎｉｃ  Ｐｒｏｇｒａｍ  Ｇｕｉｄｅ  以下、ＥＰＧと称す）が知られている。ＥＰＧは、放送局名、番組名、番組開始時刻、番組終了時刻、等の情報が含まれており、例えば、指定日時の番組一覧表を画面上に表示し、視聴者はこの番組表を操作して、特定の番組の詳細情報を閲覧したり前述した視聴予約を行うことができる。視聴予約した場合、選択した番組の開始時刻になると受像機が自動選局などの処理を行い、選択した番組を受像機内蔵又は外部接続した記憶装置、例えば、アナログビデオレコーダ、デジタルビデオレコーダ、ハードディスク等に録画あるいは記憶するようになっている。ところで、視聴予約を設定している場合や同時間帯に重複して視聴予約を設定している場合は、現在視聴中の番組の途中で視聴予約の開始時刻になると、視聴予約番組の受信に切り換るのが一般的である。このため、視聴者が現在視聴しているチャンネルの番組を継続して見ることができない。
【０００３】
このような問題を解決する技術として、特許文献１には、リマインダー機能により、視聴予約の放送開始直前に、視聴者に対して視聴予約した放送が始まることを知らせる情報を表示させることで、視聴者がチャンネルを切り換えるかどうか判断できるように構成したＥＰＧ受信装置が開示され、また、特許文献２には、同時間帯に重複して予約された視聴予約について、あらかじめ定めた優先順位設定条件に基づいて放送受信を選択する視聴予約番組選択手段を備えた番組受信装置が開示されている。
【０００４】
【特許文献１】特開平１１−２６６４１４号公報
【特許文献２】特開２００１−１９７３８２号公報
【発明の開示】
【発明が解決しようとする課題】
【０００５】
前記特許文献１は視聴予約中に異なる番組を視聴していた場合、視聴予約の放送開始直前に、視聴者に対して視聴予約した放送の開始時間が近づいていることが確認でき、視聴者の判断で視聴予約番組へ切り換えるか否かを選択することができ、特許文献２は、同時間帯に重複して予約された視聴予約があった場合、あらかじめ定めた優先順位設定条件に基づいて受信する番組を選択することができるものの、視聴中の番組か視聴予約した番組のどちらを録画するか確認するための表示手段がない。このため、視聴予約番組の放送開始直前に視聴中の番組か視聴予約番組の何れか一方の番組を見逃す虞れがあるとともに、録画開始が遅れる可能性があった。
【０００６】
本発明は、上記課題に鑑みてなされたもので、視聴予約中に異なる番組を視聴していた場合、視聴者の判断で視聴予約番組への切り換えのみならず、視聴予約した番組か視聴中の番組の何れの番組を録画するか、その録画予約を取り消すかを視聴者の判断で選択することができる視聴予約機能を備えた放送受信装置を提供することを目的とする。
【課題を解決するための手段】
【０００７】
本発明の請求項１の視聴予約機能を備えた放送受信装置は、視聴予約する番組のチャンネルおよびその放送時間帯を視聴予約データとして保持する視聴予約データ保持部と、この視聴予約データ保持部からの視聴予約データに基づいて前記視聴予約された番組が開始する直前に、視聴中の番組から視聴予約した番組へとチャンネルを変更するか否かのチャンネル変更確認メッセージ及び視聴中の番組か視聴予約した番組かの何れかを録画するか否かの録画確認メッセージを表示させるメッセージ表示部と、前記チャンネル変更確認メッセージの指示に従って選局するチャンネル選局部と、視聴予約データ保持部で保持した視聴予約データから時間情報を取得して予約開始時に前記録画確認メッセージの指示に従った番組を録画する録画動作部とを備えたことを特徴とする。
【０００８】
請求項１の構成により、視聴予約された番組開始の直前にチャンネル変更確認を促すチャンネル変更確認メッセージが表示され、ここで視聴者の判断によって、チャンネルの変更を選択すれば、視聴中の番組から視聴予約した番組へチャンネルが切り換わり、一方、チャンネル変更をしない選択をしたならば、視聴中の番組が継続的に表示される。この後、視聴中の番組か視聴予約された番組のどちらの番組を録画するか否かの録画確認メッセージが表示され、視聴者の判断によって、録画をする選択をすれば、視聴中の番組又は視聴予約された番組の何れか一方の番組が録画され、録画をしない選択をすれば、視聴予約が取り消される。
【０００９】
本発明の請求項２の視聴予約機能を備えた放送受信装置は、請求項１記載の視聴予約機能を備えた放送受信装置において、前記チャンネル変更確認メッセージ又は／及び録画確認メッセージ表示を表示させるか否かを選択する選択手段を有することを特徴とする。
【００１０】
請求項２の構成により、チャンネル変更確認メッセージ又は／及び録画確認メッセージ表示を表示させるか否かを選択することで、視聴者が選択した予約方法で視聴予約が成される。
【００１１】
本発明の請求項３の視聴予約機能を備えた放送受信装置は、請求項１又は２記載の視聴予約機能を備えた放送受信装置において、前記視聴予約時間前に表示させるチャンネル変更確認メッセージ又は／及び録画確認メッセージの表示タイミングの時間設定を選択する選択手段を有することを特徴とする。
【００１２】
請求項３の構成により、視聴予約している放送開始時間が迫ると視聴者が設定した表示タイミングでチャンネル変更確認メッセージが表示され、この後、チャンネル変更確認メッセージが表示される。
【発明の効果】
【００１３】
本発明の請求項１の視聴予約機能を備えた放送受信装置によれば、視聴予約する番組のチャンネルおよびその放送時間帯を視聴予約データとして保持する視聴予約データ保持部と、この視聴予約データ保持部からの視聴予約データに基づいて前記視聴予約された番組が開始する直前に、視聴中の番組から視聴予約した番組へとチャンネルを変更するか否かのチャンネル変更確認メッセージ及び視聴中の番組か視聴予約した番組かの何れかを録画するか否かの録画確認メッセージを表示させるメッセージ表示部と、前記チャンネル変更確認メッセージの指示に従って選局するチャンネル選局部と、視聴予約データ保持部で保持した視聴予約データから時間情報を取得して予約開始時に前記録画確認メッセージの指示に従った番組を録画する録画動作部とを備えたものであるから、視聴予約中に異なる番組を視聴していた場合、視聴者の判断で視聴予約番組への切り換え選択が可能であるとともに、視聴予約番組か視聴中の番組かの何れか一方の番組を録画するか、あるいは録画予約を取り消すかを選択することができる。これにより、視聴中の番組か視聴予約された番組の何れか一方の番組を見逃す心配がないとともに、録画開始が遅れることなく、確実に視聴者が望む番組を録画することができる。
【００１４】
本発明の請求項２の視聴予約機能を備えた放送受信装置によれば、請求項１記載の視聴予約機能を備えた放送受信装置において、前記チャンネル変更確認メッセージ又は／及び録画確認メッセージ表示を表示させるか否かを選択する選択手段を有するものであるから、視聴者にとって使い勝手のよい録画操作方法を設定できる。
【００１５】
本発明の請求項３の視聴予約機能を備えた放送受信装置によれば、請求項１又は２記載の視聴予約機能を備えた放送受信装置において、前記視聴予約時間前に表示させるチャンネル変更確認メッセージ又は／及び録画確認メッセージの表示タイミングの時間設定を選択する選択手段を有するものであるから、視聴者にとって最適なタイミングでチャンネル変更確認メッセージと録画確認メッセージ表示を表示することができる。
【発明を実施するための最良の形態】
【００１６】
以下、添付図面を参酌しながら、本発明を実施するための最良の形態としての実施例を説明する。
【００１７】
図１は本発明の一実施例である番組受信装置の回路構成を示すブロック図である。同図において、１はチューナ、２は映像信号処理部、３は音声信号処理部、４はメインマイクロコンピュータ（以下、メインマイコンと称する）であり、チューナ１から送られた映像・音声信号は映像信号処理部２に出力される。映像信号処理部２はチューナ１から送られる映像信号を抽出し、これをメインマイコン４に出力してメインマイコン４によってＣＲＴなどのモニタ５に映像を映し出すための処理を行う。さらに、メインマイコン４は、映像信号処理部２から送られる音声信号を音声信号処理部３に出力し、モニタ５から音声を発生させるために処理を行う。
【００１８】
また、記憶再生装置として例えばＤＶＤ（Ｄｉｇｉｔａｌ  Ｖｅｒｓａｔｉｌｅ  Ｄｉｓｃ）６を接続してディスク６Ａの記憶／再生を行う場合、チューナ２からの映像・音声信号はＶＩＤＥＯデコーダ７に入力され、ＶＩＤＥＯデコーダ７でアナログ信号をデジタル信号に変換し、これをＤＶＤマイコン８及びＭＰＥＧエンコーダ９に出力する。ＭＰＥＧエンコーダ９では、デジタル信号を圧縮し、ピックＵＰ１０に出力する。ＤＶＤマイコン８では、ＶＩＤＥＯエンコーダ１１やＭＰＥＧデコーダ１２に出力し、ＶＩＤＥＯエンコーダ１１でデジタル信号をアナログ信号に変換し、ＭＰＥＧデコーダ１２では圧縮されたデジタル信号の圧縮を戻す処理を行い、これらＶＩＤＥＯエンコーダ１１、ＭＰＥＧデコーダ１２から映像信号処理部２、音声信号処理部３に出力し、モニタ５から映像・音声を発生させるために処理を行う。なお、図１において１３はＭＰＥＧデコーダ１２の情報を格納するメモリ（ＲＡＭ）である。
【００１９】
図２はリモコン装置あるいは本体操作から送られる各種指示信号に基づいて視聴予約するに至る処理を行うメインマイコン４内部の回路構成を示すブロック図であり、同図において、１５は、各種指示信号を受信し、マイコン４内部の各部に指示する動作指示部、１６は動作指示部１５からの指示に従いマイコン４内部の各部を制御する動作制御部である。動作制御部１６は、動作指示部１５からの指令に基づいてＹ／Ｃ  ＩＣに録画動作信号を出力する録画動作部１７、チューナ１にチャンネル切り換え信号を出力するチャンネル選局部１８、視聴予約した番組開始の直前に視聴予約した放送が始まることを表示させる時間設定部１９、現在時刻を検出する時間検出部２０、視聴者が設定した視聴予約する番組のチャンネルおよび時間帯とを視聴予約情報のデータとして保持する視聴予約データ保持部２１に指令信号を出力し、視聴予約処理を行う。メッセージ表示部２４は、視聴予約された番組が開始する直前に視聴者に確認メッセージを表示させる。選択部２５は、メッセージ表示部２４で表示された指示に対して何れか一方を選択したかを判別し、この選択部２５で判別されたチャンネル情報は動作指示部１５、動作制御部１６を経由して予約データ生成部２６に出力され、予約データ生成部２６によって選択部２５で指示されたチャンネルで予約開始時間に録画が開始できるようにＥＰＧやＧコードなどの予約データを生成し、これらの予約データ送信部２７からＤＶＤ６などの記憶再生装置に予約データを出力する。
【００２０】
また、視聴予約する際の諸条件の設定は視聴者は選択できるようになっており、図３の設定画面の説明図を参照して説明すると、視聴者がリモコン送信機などによってメニューキーを選択すると、表示画面には、初期設定メニューが表示され、予約確認設定を選択することによって、「チャンネル変更確認」「録画設定確認」「録画設定方法」「確認時間」の各項目の設定を行う。ここで視聴者がリモコン送信機のアップダウンキーを操作することによって、順次選択項目が上下方向に移動して所望の項目に選択し、決定キーを操作することにより、「チャンネル変更確認」を行うか否か、「録画設定確認」を行うか否か、「録画設定方法」において、「ＥＰＧ」「Ｇコード」「録画」の何れかの方法で行うかの選択、メッセージを表示する際の「確認時間」を視聴予約した放送開始前の３０秒、６０秒、９０秒、１２０秒の何れかのタイミングで表示させるかの設定が可能である。なお、この「確認時間」のタイミングは、３０秒、６０秒、９０秒、１２０秒の所定の時間に設定する以外に視聴者が任意の時間に設定することも可能である。なお、図３においては、「チャンネル変更確認」「録画設定確認」「録画設定方法」をそれぞれ表示するように選択し、「録画設定方法」として録画、メッセージの表示を視聴予約した放送開始の６０秒前に設定した状態を示している。
【００２１】
図４は、視聴予約した番組が録画されるまでの動作示すフローチャート、図５は録画されるまでの動作を番組毎に示したフローチャートであり、これらフローチャートを参照して視聴予約した番組が録画されるまでの動作について説明する。なお、図５は視聴者が３ＣＨを視聴し、視聴予約としてＢＳ１に設定している場合を示している。視聴予約した視聴予約情報はメインマイコン４の視聴予約データ保持部２１に保持され、視聴者がチューナ１から送られる番組（３ＣＨ）を視聴している状態で、かつ、「チャンネル変更確認」を表示させるように選択した状態において、視聴予約している（ＢＳ１）の放送開始時間が迫ると（ステップＳ１、Ｓ１１）、メッセージ表示部２４からモニタ５に信号が出力され、モニタ５にはチューナ１から送られる映像とともに、チャンネル変更確認メッセージ３０が表示される。このチャンネル変更確認メッセージ３０を表示するタイミングは、「確認時間」の項目で設定した時間であり、図３の６０秒前に設定している場合には、放送開始の６０秒前に「視聴時間が近づいております。変更しますか？」というチャンネル変更確認メッセージ３０が表示される（ステップＳ２、Ｓ２０）。このチャンネル変更確認メッセージ３０の指示に従って視聴中の番組から視聴予約した番組へチャンネルを切り換えるか否かを選択する（ステップＳ３）。視聴者の判断でリモコン送信機のキー入力などによって、チャンネル変更確認メッセージ３０で「はい」を選択した場合、チャンネル選局部１８により予約した時間に視聴予約した番組へチャンネルが切り換わる（ステップＳ４、Ｓ３０）。一方、チャンネル変更確認メッセージ３０で「いいえ」を選択した場合、予約した時間になっても視聴中の番組の映像が継続的に表示される（ステップＳ４０）。また、設定時に「録画設定確認」の項目で選択しているか否かを判定し（ステップＳ５、Ｓ５０）、録画を確認するように設定した場合、メッセージ表示部２４によりモニタ５には録画確認メッセージが表示されるが、ステップＳ４、Ｓ３０で視聴中の番組から視聴予約した番組へチャンネルを切り換えた場合、モニタ５には「変更前のチャンネルを録画しますか？」という録画確認メッセージ３１が表示され（ステップＳ６、Ｓ６０）、一方、視聴中の番組の映像を継続的に表示させている場合、「予約したチャンネルを録画しますか？」という録画確認メッセージ３２が表示される（ステップＳ７、Ｓ７０）。そして、その録画確認メッセージ３１、３２の指示に従って視聴者の判断でリモコン送信機のキー入力などによって録画するか否かを選択する（ステップＳ８、Ｓ９）。すなわち、ステップＳ８で録画確認メッセージ３１で「はい」を選択すると切り換る前のチャンネル（ＣＨ３）で録画設定され、ステップＳ９で録画確認メッセージ３２で「はい」を選択すると予約したチャンネル（ＢＳ１）で録画設定され（ステップＳ１０、Ｓ８０、Ｓ９０）、これが予約データ生成部２６に出力され、指示された番組及び予約開始時間に録画が開始される（ステップＳ１００、Ｓ１１０）。また、ステップＳ８、Ｓ９で「いいえ」を選択すると、録画予約が取り消される処理が行われる。
【００２２】
以上のように、本実施例においては、視聴予約開始時の直前にチャンネル変更確認を促すチャンネル変更確認メッセージ３０が表示され、ここで視聴者の判断によって、チャンネルの変更を選択すれば、視聴中の番組から視聴予約した番組へチャンネルを切り換わり、一方、チャンネル変更をしない選択をしたならば、視聴中の番組が継続的に表示されることになる。これにより、視聴予約開始時において、視聴中の番組又は視聴予約された番組の何れか一方を見逃すことはない。さらに、チャンネル変更確認メッセージ３０の指示に従ってチャンネル変更した後、それぞれ番組に対応して「チャンネル変更前の番組をチャンネルを録画しますか？」又は「予約したチャンネルを録画しますか？」という録画確認メッセージ３１、３２が表示され、ここで視聴者の判断によって、チャンネル変更前の番組あるいは予約したチャンネルの録画を選択をすれば録画開始が遅れたり録画できない、という危険もなく、視聴者が望む番組を確実に録画することが可能となる。また、チャンネル変更前の番組あるいは予約したチャンネルの録画をしない選択をすれば、予約の取り消しを行うことができ、予約設定ミスなどによる無駄な録画を防止することができる。また、チャンネル変更確認メッセージ３０又は／及び録画確認メッセージ３１、３２を表示させるか否かを選択することができるから、視聴者にとって使い勝手のよい録画操作方法を設定できる。さらに、各メッセージ３０、３１、３２の表示タイミングの時間設定を選択できるから、視聴者にとって最適なタイミングで各メッセージ３０、３１、３２を表示させることができる。
【００２３】
以上、本発明の実施例を詳述したが、本発明は前記実施例に限定されるものではなく、本発明の要旨の範囲内で種々の変形実施が可能である。例えば、番組受信装置の回路構成などは適宜選定すればよい。
【図面の簡単な説明】
【００２４】
【図１】本発明の番組受信装置の回路構成を示すブロック図である。
【図２】同上、メインマイコン内部の回路構成を示すブロック図である。
【図３】同上、視聴予約する際の設定画面を示す説明図である。
【図４】同上、視聴予約した番組が録画されるまでの動作示すフローチャートである。
【図５】同上、録画されるまでの動作を番組毎に示したフローチャートである。
【符号の説明】
【００２５】
１７  録画動作部
１８  チャンネル選局部
２１  視聴予約データ保持部
２４  メッセージ表示部
３０  チャンネル変更確認メッセージ
３１，３２  録画確認メッセージ
【図１】
2005252764.tif 000003
【図２】
2005252764.tif 000004
【図３】
2005252764.tif 000005
【図４】
2005252764.tif 000006
【図５】
2005252764.tif 000007